(57)【要約】      （修正有）【課題】超微細ファインポリエステルナノファイバーを利用して、適度な着圧で患部を被覆しつつ被着者の着用感を向上させると共に、被着部とのずれを防止して確実に患部を被覆することができる被覆体を提供する。【解決手段】被着者の表面を覆う被覆体であって、端部に編成される口ゴム部１１ａ、１１ｂと、繊維径をナノメートルオーダーとする超微細ファインポリエステルナノファイバーからなる複合糸を用いて丸編で編成される滑り止め部１２と、口ゴム部及び／又は滑り止め部に連続して編成され、丸編みによりメッシュ状に編成される支持部１３ａ、１３ｂとを備え、前記超微細ファインポリエステルナノファイバーからなる複合糸が滑り止め部の内側表面を周回して挿入されている。【選択図】図１
0003202141.tif 000002
【実用新案登録請求の範囲】
【請求項１】
被着者の治療部位を覆う被覆体であって、
端部に編成される口ゴム部と、
繊維径をナノメートルオーダーとする超微細ファインポリエステルナノファイバーからなる複合糸を用いて丸編で編成される滑り止め部と、
前記口ゴム部及び／又は前記滑り止め部と連続して編成され、丸編みによりメッシュ状に編成される支持部とを備え、
前記超微細ファインポリエステルナノファイバーからなる複合糸が前記滑り止め部の内側表面を周回して挿入されていることを特徴とする被覆体。
【請求項２】
請求項１に記載の被覆体において、
前記口ゴム部において、前記超微細ファインポリエステルナノファイバーからなる複合糸が内側表面を周回して挿入され、前記口ゴムから第１の前記支持部が連続して編成され、当該第１の支持部から前記滑り止め部が連続して編成され、当該滑り止め部から第２の前記支持部が連続して編成されており、前記口ゴムが編成されている一端側と反対の他端側に編成される前記第２の支持部の先端が円形状又は扇形状に縫製されていることを特徴とする被覆体。
【請求項３】
請求項１に記載の被覆体において、
丸編により筒状に編成される筒状編成部で形成され、
前記口ゴム部が前記筒状編成部の両端部に第１の口ゴム部及び第２の口ゴム部として編成されており、当該第１及び第２の口ゴム部において、前記超微細ファインポリエステルナノファイバーからなる複合糸が内側表面を周回して挿入され、前記第１及び第２の口ゴム部の間が、１又は複数の前記支持部及び滑り止め部が連続して編成されていることを特徴とする被覆体。
【請求項４】
請求項３に記載の被覆体において、
前記支持部及び／又は滑り止め部に筒状編成部の軸方向に沿った穿孔又は切込が形成されていることを特徴とする被覆体。
【請求項５】
請求項３に記載の被覆体において、
前記支持部及び／又は滑り止め部に筒状編成部の径方向に切込が形成されていることを特徴とする被覆体。
【請求項６】
請求項１ないし５のいずれかに記載の被覆体において、
前記滑り止め部が４コースを１つのサイクルとし、当該４コースの一部のコースが前記超微細ファインポリエステルナノファイバーからなる複合糸を用いて編成され、前記超微細ファインポリエステルナノファイバーからなる複合糸が内側に出るように編成されていることを特徴とする被覆体。
【考案の詳細な説明】
【技術分野】
【０００１】
本考案は、被着者の損傷した体の部位を覆う被覆体に関する。
【背景技術】
【０００２】
怪我や手術などが原因で体が損傷を受けた場合、一般的には清潔なガーゼ等で患部を覆い、その上から包帯や伸縮性の布で患部を軽く固定して治癒することが行われている。しかしながら、包帯の場合はガーゼを取り換える度に巻き直しの作業が必要であり非常に手間が掛かってしまう。一方、伸縮性の布の場合は、巻き直し等の作業がなく割と簡単にガーゼの取り替え等の作業が可能であるが、被着者の着用感がよくない場合がある。特に、患部からずれないようにするために、ある程度着圧を強くする必要があるが、着圧が強すぎると患部に悪影響を及ぼす可能性があると共に、被着者の着用感が損なわれてしまう。
【０００３】
特許文献１に示す技術は、伸縮性糸と非伸縮性糸とを交差させて織成し、長手方向に伸縮性を有する包帯本体２の長手方向の一端部に、伸縮性を有し腕部を挿入可能な環状の環状部３を設ける。腕部を環状部３に挿入して包帯本体２を腕部の周囲に巻き付けることで、腕部に粘着部材などで仮止めすることなく腕部の周囲に伸縮性包帯１を容易に巻き付けできるものである。
【０００４】
特許文献２に示す技術は、ゴム弾性を有しない非伸縮性繊維糸で編まれ、タック経糸のループが素地組織の編目に係合して編成した編組構造を有するラッセル編地でなり、経方向において少なくとも２０％の伸縮率を示すものである。
【先行技術文献】
【特許文献】
【０００５】
【特許文献１】特開２００７−１３５８０２号公報
【特許文献２】特開２００２−２３５２６５号公報
【考案の概要】
【考案が解決しようとする課題】
【０００６】
しかしながら、特許文献１、２に示す技術は、いずれも依然として上記に示したような課題を有しており当該課題を解決するのに十分なものとは言えない。
【０００７】
本考案は、超微細ファインポリエステルナノファイバーを利用して、適度な着圧で患部を被覆しつつ被着者の着用感を向上させると共に、被着部とのずれを防止して確実に患部を被覆することができる被覆体を提供する。
【課題を解決するための手段】
【０００８】
本考案に係る被覆体は、被着者の治療部位を覆う被覆体であって、端部に編成される口ゴム部と、繊維径をナノメートルオーダーとする超微細ファインポリエステルナノファイバーからなる複合糸を用いて丸編で編成される滑り止め部と、前記口ゴム部及び／又は前記滑り止め部と連続して編成され、丸編みによりメッシュ状に編成される支持部とを備え、前記超微細ファインポリエステルナノファイバーからなる複合糸が前記滑り止め部の内側表面を周回して挿入されているものである。
【０００９】
このように、端部に編成される口ゴム部と、繊維径をナノメートルオーダーとする超微細ファインポリエステルナノファイバーからなる複合糸を用いて丸編で編成される滑り止め部と、前記口ゴム部及び／又は前記滑り止め部と連続して編成され、丸編みによりメッシュ状に編成される支持部とを備え、前記超微細ファインポリエステルナノファイバーからなる複合糸が前記滑り止め部の内側表面を周回して挿入されているため、超微細ファインポリエステルナノファイバーからなる複合糸により確実にずれを防止することができると共に、肌触りを良くし、被着者の着用感を向上させることができるという効果を奏する。
【００１０】
本考案に係る被覆体は、前記口ゴム部において、前記超微細ファインポリエステルナノファイバーからなる複合糸が内側表面を周回して挿入され、前記口ゴムから第１の前記支持部が連続して編成され、当該第１の支持部から前記滑り止め部が連続して編成され、当該滑り止め部から第２の前記支持部が連続して編成されており、前記口ゴムが編成されている一端側と反対の他端側に編成される前記第２の支持部の先端が円形状又は扇形状に縫製されているものである。
【００１１】
このように、本考案に係る被覆体においては、前記口ゴム部において、前記超微細ファインポリエステルナノファイバーからなる複合糸が内側表面を周回して挿入され、前記口ゴムから第１の前記支持部が連続して編成され、当該第１の支持部から前記滑り止め部が連続して編成され、当該滑り止め部から第２の前記支持部が連続して編成されており、前記口ゴムが編成されている一端側と反対の他端側に編成される前記第２の支持部の先端が円形状又は扇形状に縫製されているため、頭部への怪我や手術後の患部を被覆しやすくなり、頭部への締め付けをなくしつつ、確実にずれを防止することができるという効果を奏する。
【００１２】
本考案に係る被覆体は、丸編により筒状に編成される筒状編成部で形成され、前記口ゴム部が前記筒状編成部の両端部に第１の口ゴム部及び第２の口ゴム部として編成されており、当該第１及び第２の口ゴム部において、前記超微細ファインポリエステルナノファイバーからなる複合糸が内側表面を周回して挿入され、前記第１及び第２の口ゴム部の間が、１又は複数の前記支持部及び滑り止め部が連続して編成されているものである。
【００１３】
このように、本考案に係る被覆体においては、丸編により筒状に編成される筒状編成部で形成され、前記口ゴム部が前記筒状編成部の両端部に第１の口ゴム部及び第２の口ゴム部として編成されており、当該第１及び第２の口ゴム部において、前記超微細ファインポリエステルナノファイバーからなる複合糸が内側表面を周回して挿入され、前記第１及び第２の口ゴム部の間が、１又は複数の前記支持部及び滑り止め部が連続して編成されているため、手、足、指等の怪我や手術後の患部を被覆しやすくなり、手、足、指等への締め付けをなくしつつ、確実にずれを防止することができるという効果を奏する。特に、腕や脹脛や太腿のような長尺の箇所に対しては、滑り止めを複数編成することで、確実にずれを防止することが可能となる。
【００１４】
本考案に係る被覆体は、前記支持部及び／又は滑り止め部に筒状編成部の軸方向に沿った穿孔又は切込が形成されているものである。
【００１５】
このように、本考案に係る被覆体においては、前記支持部及び／又は滑り止め部に筒状編成部の軸方向に沿った穿孔又は切込が形成されているため、手の親指を穿孔又は切込から外部に露出させて手の平や手の甲の怪我や手術後の患部を被覆しやすくなり、手の平及び手の甲への締め付けをなくしつつ、確実にずれを防止することができるという効果を奏する。また、親指が露出することで被覆体を手の平及び手の甲の形状に合わせてフィットさせることができると共に、指の自由度を確保して被着者の利便性を保つことができるという効果を奏する。
【００１６】
本考案に係る被覆体は、前記支持部及び／又は滑り止め部に筒状編成部の径方向に切込が形成されているものである。
【００１７】
このように、本考案に係る被覆体においては、前記支持部及び／又は滑り止め部に筒状編成部の径方向に切込が形成されているため、一方の腕を切込から外部に露出させて胴体部分の怪我や手術後の患部を被覆しやすくなり、胴体部分への締め付けをなくしつつ、確実にずれを防止することができるという効果を奏する。また、切込から一方の腕が露出することで、一方の端部に編成されている口ゴム部が襷掛け状になり、被覆体の落下を確実に防止することができるという効果を奏する。
【００１８】
本考案に係る被覆体は、前記滑り止め部が４コースを１つのサイクルとし、当該４コースの一部のコースが前記超微細ファインポリエステルナノファイバーからなる複合糸を用いて編成され、前記超微細ファインポリエステルナノファイバーからなる複合糸が内側に出るように編成されているものである。
【００１９】
このように、本考案に係る被覆体においては、前記滑り止め部が４コースを１つのサイクルとし、当該４コースの一部のコースが前記超微細ファインポリエステルナノファイバーからなる複合糸を用いて編成され、前記超微細ファインポリエステルナノファイバーからなる複合糸が内側に出るように編成されているため、超微細ファインポリエステルナノファイバーからなる複合糸による摩擦力で肌との滑りをなくし、ズレを防止することができると共に、コースに応じて異なる材料を用いることで表面に凹凸を設けてより確実にズレを防止することができるという効果を奏する。
【図面の簡単な説明】
【００２０】
【図１】第１の実施形態に係る被覆体の構造を示す側面図である。
【図２】第１口ゴム部の外表面及び第２口ゴム部の素材及び編み目を示す模式図である。
【図３】第１口ゴム部の内表面の素材及び編み目を示す模式図である。
【図４】滑り止め部の素材及び編み目を示す模式図である。
【図５】支持部の素材及び編み目を示す模式図である。
【図６】第２の実施形態に係る被覆体の構造を示す側面図である。
【図７】第３の実施形態に係る被覆体の構造を示す側面図である。
【図８】第４の実施形態に係る被覆体の構造を示す図である。
【図９】第５の実施形態に係る被覆体の構造を示す図である。
【図１０】その他の実施形態に係る被覆体の編み構造を示した模式図である。
【考案を実施するための最良の形態】
【００２１】
以下、本考案の実施の形態を説明する。本考案は多くの異なる形態で実施可能である。また、本実施形態の全体を通して同じ要素には同じ符号を付けている。
【００２２】
（本考案の第１の実施形態）
本実施形態に係る被覆体について、図１ないし図５を用いて説明する。本実施形態に係る被覆体は、怪我などの患部をガーゼで覆い、その上からガーゼを安定して固着・係止するための被覆体であり、着用感の向上させると共に肌やガーゼとのずれを防止し、着用者が簡単に装着することができるものである。図１は、本実施形態に係る被覆体の構造を示す側面図である。図１（Ａ）が被覆体の内面側の構造を示し、図１（Ｂ）が被覆体の外面側の構造を示している。
【００２３】
図１（Ａ）において、被覆体１は、丸編みにより筒状に編成されており、その筒状体の一端に伸縮性に優れた第１口ゴム部１１ａと、超微細ファインポリエステルナノファイバーからなる複合糸（以下、超微細繊維という）を用いて編成される滑り止め部１２と、当該滑り止め部１２から連続して丸編みによりメッシュ状に編成される支持部１３（第１支持部１３ａ及び第２支持部１３ｂ）と、第１口ゴム部１１ａと反対の他端部に伸縮性に優れた第２口ゴム部１１ｂとを備える。
【００２４】
第１口ゴム部１１ａは、着用者の皮膚と接触する内面側と外側に露出する外面側との２層構造になっており、内表面は繊維の直径が７００ナノメートル程度の超微細繊維が挿入され、着用者の肌と直接接触するように編成されている。これにより、着用者の体（体の部位）を適度に締め付けつつ肌とのずれを防止して、被覆体１を着用者の体に安定して固着させると共に、着用者の着用感を向上させることができる。外表面はナイロンやポリウレタンにより伸縮性を上げて着用し易いように編成されている。例えば、図１に示す被覆体１を着用者の頭部に装着する場合、超微細繊維が挿入された第１口ゴム部１１ａの内表面が着用者の額部分と直接接触し、額部分の着用感を向上させつつ肌とのずれを防止し、安定して装着することが可能となる。
【００２５】
なお、図１（Ａ）においては、第１口ゴム部１１ａの内表面全体に超微細繊維が挿入された構造となっているが、第１口ゴム部１１ａの一部の領域に周回するように超微細繊維が挿入された構造であってもよい。すなわち、図１（Ａ）における第１口ゴム部１１ａの内表面は、超微細繊維が挿入された領域と、外表面と同じナイロンやポリウレタンにより編成された領域との２つの領域を有していてもよい。
【００２６】
滑り止め部１２は、第１口ゴム部１１ａと同様に超微細繊維が挿入されており、着用者の肌に対しては吸水性、吸着性及び肌触りを向上させると共に、皮膚への刺激を軽減する。特に、肌と接触する内表面側に超微細繊維がより多く露出するように編成され、超微細繊維の表面積の増大により大きな摩擦力を発生させている。
【００２７】
第１支持部１３ａ及び第２支持部１３ｂは大き目のメッシュ構造となっており、非常に高い伸縮性と通気性を有する。すなわち、ガーゼが覆われた患部に対して外部からの刺激を最小限に抑えつつ、患部の通気性を確保して蒸れ等を防止し、清潔を保つことができる。
【００２８】
なお、上記滑り止め部１２を有しない構成であってもよい。すなわち、両端の第１口ゴム部１１ａと第２口ゴム部１１ｂ以外はメッシュ構造の支持部１３のみ構成されるようにしてもよい。そうすることで、傷口への刺激をより抑えることが可能となる。
【００２９】
これに対して、滑り止め部１２を有する構造の場合は、肌とのずれを防止すると共に、傷口を覆っているガーゼを安定的に固着・係止する機能を有するため、傷口からの雑菌の進入や外側からの刺激を防ぐために非常に重要な役割を担っているガーゼを確実に固着・係止することが可能となる。滑り止め部１２を有する被覆体１を使用するか、滑り止め部１２を有しない被覆体１を使用するかは、傷口の状態や部位によって使い分けることが望ましい。
【００３０】
上記被覆体１における各部位の編み方について、図２ないし図５に示す具体的な例を挙げて説明する。本実施形態においては、４コースを１つのサイクルとして丸編みを行うものであり、各コースに用いる素材及び編み目が異なる。図２は、第１口ゴム部１１ａの外表面及び第２口ゴム部１１ｂの素材及び編み目を示す模式図である。図２（Ａ）に示すように、第１口ゴム部１１ａの外表面及び第２口ゴム部１１ｂは、１コース及び３コースがナイロン、２コース及び４コースがポリウレタンを素材とする糸で編成されており、図２（Ｂ）、（Ｃ）に示すように、１コースのみ１つの編み目ごとに浮き編み（フロート編み）で編成している。そして、各サイクルごとにフロート編みの編み目が交互になるように編成されている。すなわち、１サイクル目に偶数ウェルの編み目をフロート編みした場合、２サイクル目は奇数ウェルの編み目をフロート編みしている。
【００３１】
図３は、第１口ゴム部１１ａの内表面の素材及び編み目を示す模式図である。図３に示すように、第１口ゴム部１１ａの内表面は、１コースがナイロン、２コースがポリウレタン、３コース及び４コースが超微細繊維とナイロンを素材とする糸で編成されており、編み目は一般的な平編みとなっている。
【００３２】
図４は、滑り止め部１２の素材及び編み目を示す模式図である。図４に示すように、滑り止め部１２は、１コース及び２コースがナイロン、３コース及び４コースが超微細繊維とナイロンを素材とする糸で編成されており、編み目は一般的な平編みとなっている。
【００３３】
図５は、支持部１３の素材及び編み目を示す模式図である。図５に示すように、支持部１３は、全てのコースがナイロンを素材とする糸で編成されており、２コースは２つの編み目ごとにタック編みで編成し、４コースは１つの編み目ごとにタック編みで編成している。そして、各サイクルごとに２コース及び４コースのタック編みの編み目が交互になるように編成されている。すなわち、１サイクル目に２コースにおいて３及び４ウェルの編み目をタック編みし、４コースにおいて偶数ウェルの編み目をタック編みした場合、２サイクル目は２コースにおいて１及び２ウェルの編み目をタック編みし、４コースにおいて奇数ウェルの編み目をタック編みしている。このような編成により、支持部１３はメッシュ状に形成されてる。
【００３４】
なお、上記各素材及び編み目はあくまで一例であり、他の素材及び編み目の組み合わせで編成することも当然可能である。
【００３５】
このように、各コースごとに素材と編み目を調整することで、着用者の体の部位へのフィット感やずれ防止を向上させることができる。特に、超微細繊維を用いたことによるずれ防止に加えて、各コースごとに素材や編み目を調整して表面積を拡張しつつ、編み目の凹凸を際立たせることで前後左右の各方向へのずれ防止を向上さることが可能になる。
【００３６】
以上のように、本実施形態に係る被覆体１においては、端部に編成される口ゴム部１１と、繊維径をナノメートルオーダーとする超微細ファインポリエステルナノファイバーからなる複合糸を用いて丸編で編成される滑り止め部１２と、前記口ゴム部１１及び／又は前記滑り止め部１２と連続して編成され、丸編みによりメッシュ状に編成される支持部１３とを備え、前記超微細ファインポリエステルナノファイバーからなる複合糸が前記滑り止め部１２の内側表面を周回して挿入されているため、超微細ファインポリエステルナノファイバーからなる複合糸により確実にずれを防止することができると共に、肌触りを良くし、被着者の着用感を向上させることができる。
【００３７】
また、滑り止め部１２が４コースを１つのサイクルとし、当該４コースの一部のコースが超微細ファインポリエステルナノファイバーからなる複合糸を用いて編成され、超微細ファインポリエステルナノファイバーからなる複合糸が内側に出るように編成されているため、超微細ファインポリエステルナノファイバーからなる複合糸による摩擦力で肌との滑りをなくし、ズレを防止することができると共に、コースに応じて異なる材料を用いることで表面に凹凸を設けてより確実にズレを防止することができる。
【００３８】
（本考案の第２の実施形態）
本実施形態に係る被覆体について、図６を用いて説明する。本実施形態に係る被覆体は、主に着用者の頭に装着することを目的とするものである。なお、本実施形態において前記第１の実施形態と重複する説明は省略する。
【００３９】
図６は、本実施形態に係る被覆体の構造を示す側面図である。図６（Ａ）が被覆体の内面側の構造を示し、図６（Ｂ）が被覆体の外面側の構造を示している。図６（Ａ）において、被覆体１は、第１口ゴム部１１ａ、第１滑り止め部１２ａ、第２滑り止め部１２ｂ、第１支持部１３ａ及び第２支持部１３ｂを備えており、第１口ゴム部１１ａが配設される側の他端の第２支持部１３ｂの先端部が円形又は扇状に縫製されている。各部位の素材及び編み目構造は前記第１の実施形態に示したものと同じであり、第１滑り止め部１２ａと第２滑り止め部１２ｂとは同じ構造で第１の実施形態における滑り止め部１２と同じ構造である。
【００４０】
図６においては、第１口ゴム部１１ａから連続して第１滑り止め部１２ａが編成され、第１滑り止め部１２ａから連続して第１支持部１３ａが編成され、第１支持部１３ａから連続して第２滑り止め部１２ｂが編成され、さらに、第２滑り止め部１２ｂから連続して第２支持部１３ｂが編成されており、この第２支持部１３ｂの先端部が円形又は扇状に縫製されている。なお、図１の場合と同様に、滑り止め部１２と支持部１３との配置関係は逆であってもよい。また、第１滑り止め部１２ａ及び第２滑り止め部１２ｂは有しない構成であってもよい。すなわち、第１口ゴム部１１ａと支持部１３のみで構成されてもよい。
【００４１】
図６の場合においても、第１口ゴム部１１ａの内表面、第１滑り止め部１２ａ及び第２滑り止め部１２ｂには超微細繊維を用いているため、肌とのずれを防止することができると共に、第２支持部１３ｂの先端部が円形状又は扇形状に縫製されているため、頭にフィットさせて着用することができる。併せて、第１滑り止め部１２ａ及び／又は第２滑り止め部１２ｂを有する場合は、頭の傷口を覆うガーゼを適度な締め付けで安定して固着・係止させることができ、第１滑り止め部１２ａ及び第２滑り止め部１２ｂを有しない場合は、支持部１３の大き目のメッシュ構造により傷口への刺激（例えば頭蓋骨を穿けるような大手術による傷口への刺激）を最小限に抑えつつ、ガーゼを安定して固着・係止させることが可能となる。
【００４２】
以上のように、本実施形態に係る被覆体１においては、口ゴム部が編成されている一端側と反対の他端側に編成される前記第２の支持部１３ｂの先端が円形状又は扇形状に縫製されているため、頭部への怪我や手術後の患部を被覆しやすくなり、頭部への締め付けをなくしつつ、確実にずれを防止することができる。
【００４３】
（本考案の第３の実施形態）
本実施形態に係る被覆体について、図７を用いて説明する。本実施形態に係る被覆体は、主に着用者の腕、指、脹脛、太腿等に装着することを目的とするものである。なお、本実施形態において前記各実施形態と重複する説明は省略する。
【００４４】
図７は、本実施形態に係る被覆体の構造を示す側面図である。図７（Ａ）が被覆体の内面側の構造を示し、図７（Ｂ）が被覆体の外面側の構造を示している。図７（Ａ）において、被覆体１は、丸編みにより筒状に編成されており、両端の開口部分に編成される第１口ゴム部１１ａ及び第２口ゴム部１１ｂ、並びに、当該第１口ゴム部１１ａ及び第２口ゴム部１１ｂの間に編成される本体部１４からなる。本体部１４は、複数の滑り止め部１２（１２ａ〜１２ｘ）及び支持部１３（１３ａ〜１３ｘ）を備え、滑り止め部１２と支持部１３とが交互に連続して編成される構造となっている。図１においては、３つの支持部１３ａ，１３ｂ，１３ｃと２つの滑り止め部１２ａ，１２ｂとが交互に連続して編成されている。なお、第１の口ゴム部１１ａと第２の口ゴム部１１ｂとは同じ素材及び編み目構造であり、上記各実施形態における第１口ゴム部１１ａと同じ素材及び編み目構造である。また、複数の滑り止め部１２ａ〜１２ｘは全て同じ素材及び編み目構造であり、複数の支持部１３ａ〜１３ｘは全て同じ素材及び編み目構造である。
【００４５】
図７においては、第１口ゴム部１１ａから連続して第１支持部１３ａが編成され、第１支持部１３ａから連続して第１滑り止め部１２ａが編成され、第１滑り止め部１２ａから連続して第２支持部１３ｂが編成され、第２支持部１３ｂから連続して第２滑り止め部１２ｂが編成され、第２滑り止め部１２ｂから連続して第３支持部１３ｃが編成され、さらに、第３支持部１３ｃから連続して第２口ゴム部１１ｂが編成されている。
【００４６】
すなわち、本実施形態に係る被覆体１は主に腕や足のような長尺部位を被覆するため、本体部１４を支持部１３と滑り止め部１２とを交互に連続して編成する構成となっている。ここでも、第１口ゴム部１１ａ及び第２口ゴム部１１ｂの内表面、並びに、第１滑り止め部１２ａ及び第２滑り止め部１２ｂでは超微細繊維が利用されており、肌とのずれやガーゼのずれを無くすことが可能である。つまり、被覆体１が長尺状になったとしても、肌とのずれを複数の滑り止め部１２（１２ａ〜１２ｘ）と両端の第１口ゴム部１１ａ及び第２口ゴム部１１ｂで防止して安定的に傷口を被覆することができる。
【００４７】
このように、本実施形態に係る被覆体１においては、丸編により筒状に編成される筒状編成部で形成され、口ゴム部１１が前記筒状編成部の両端部に第１口ゴム部１１ａ及び第２口ゴム部１１ｂとして編成されており、当該第１及び第２口ゴム部において、超微細ファインポリエステルナノファイバーからなる複合糸が内側表面を周回して挿入され、前記第１及び第２口ゴム部の間が、１又は複数の支持部１３及び滑り止め部１２が連続して編成されているため、手、足、指等の怪我や手術後の患部を被覆しやすくなり、手、足、指等への締め付けをなくしつつ、確実にずれを防止することができる。特に、腕や脹脛や太腿のような長尺の箇所に対しては、滑り止めを複数編成することで、確実にずれを防止することが可能となる。
【００４８】
（本考案の第４の実施形態）
本実施形態に係る被覆体について、図８を用いて説明する。本実施形態に係る被覆体は、主に着用者の手（手の平及び手の甲）に装着することを目的とするものである。なお、本実施形態において前記各実施形態と重複する説明は省略する。
【００４９】
図８は、本実施形態に係る被覆体の構造を示す図である。図８（Ａ）が非着状態の外観模式図を示し、図８（Ｂ）が着用状態の外観模式図を示している。本実施形態に係る被覆体１は、前記第３の実施形態に係る被覆体１の本体部１４の任意の箇所に、被覆体１の筒状体の軸方向に平行な方向に親指を露出するための穿孔又は切込が形成されている。すなわち、手の平や手の甲の傷口のガーゼを安定して固着・係止することができると共に、指の自由度を維持して日常生活に影響することがない。
【００５０】
このように、本実施形態に係る被覆体１においては、支持部１３及び／又は滑り止め部１２に筒状編成部の軸方向に沿った穿孔又は切込が形成されているため、手の親指を穿孔又は切込から外部に露出させて手の平や手の甲の怪我や手術後の患部を被覆しやすくなり、手の平及び手の甲への締め付けをなくしつつ、確実にずれを防止することができる。また、親指が露出することで被覆体を手の平及び手の甲の形状に合わせてフィットさせることができると共に、指の自由度を確保して被着者の利便性を保つことができる。
【００５１】
（本考案の第５の実施形態）
本実施形態に係る被覆体について、図９を用いて説明する。本実施形態に係る被覆体は、主に着用者の胴体に装着することを目的とするものである。なお、本実施形態において前記各実施形態と重複する説明は省略する。
【００５２】
図９は、本実施形態に係る被覆体の構造を示す図である。図９（Ａ）が非着状態の外観模式図を示し、図９（Ｂ）が着用状態の外観模式図を示している。本実施形態に係る被覆体１は、前記第３の実施形態に係る被覆体１の本体部１４又は第２口ゴム部１１ｂの任意の箇所に、被覆体１の筒状体の径方向に切込が形成されている。この状態で図９（Ｂ）のように胴体に着用する際に、切込部分から腕を露出させると共に、この切込部分に近い方の口ゴム部を肩から襷がけのように着用する。こうすることで、下方の口ゴム部でずり上がりを防止しつつ、襷がけした口ゴム部でずり下がりを防止することができ、胴体の傷口のガーゼを安定して固着・係止することが可能となる。
【００５３】
このように、本実施形態に係る被覆体１においては、支持部１３及び／又は滑り止め部１２に筒状編成部の径方向に切込が形成されているため、一方の腕を切込から外部に露出させて胴体部分の怪我や手術後の患部を被覆しやすくなり、胴体部分への締め付けをなくしつつ、確実にずれを防止することができる。また、切込から一方の腕が露出することで、一方の端部に編成されている口ゴム部が襷掛け状になり、被覆体１の落下を確実に防止することができる。
【００５４】
（その他の実施形態）
本実施形態に係る被覆体について、図１０を用いて説明する。本実施形態に係る被覆体は、前記各実施形態における被覆体の編み構造に変化を加えることで、より強固にガーゼを固着・係止すると共に、着用感を向上させるものである。
【００５５】
図１０は、第１口ゴム部１１ａ（内表面）、第１滑り止め部１２ａ、第１支持部１３ａ、第２滑り止め部１２ｂ及び第２支持部１３ｂにおける編み構造を模式的に示したものである。ここでは、第１口ゴム部１１ａの内表面において、下半分の領域Ａは外表面と同じ素材のナイロン及びポリウレタンで編成され、上半分の領域Ｂは超微細繊維で編成されている。
【００５６】
被覆体１は図１０に示すように、第１口ゴム部１１ａの内表面の超微細繊維の編み間隔を狭くし、第１滑り止め部１２ａ及び第２滑り止め部１２ｂにおける超微細繊維の編み間隔を広くする。また、支持部１３ａ及び１３ｂのメッシュの度目を大きくする。すなわち、肌にしっかりと固定する箇所については超微細繊維の編み間隔を狭くすることで超微細繊維と肌との接触面積を大きくし、その摩擦力により肌とのずれを確実に防止する。また、本体部分については、傷口への刺激を最小限に抑えつつガーゼを安定して固着・係止するために、支持部１３のメッシュの度目を大きくし、滑り止め部１２の超微細繊維の編み間隔を広くして締め付け感を抑えつつ超微細繊維による摩擦力でガーゼとのずれを防止する。
【００５７】
なお、第３ないし第５の実施形態に示すように、口ゴム部１１が被覆体１の円筒状の両端部にそれぞれ第１口ゴム部１１ａ、第２口ゴム部１１ｂとして編成されている場合は、第１口ゴム部１１ａ及び第２口ゴム部１１ｂの双方について、内表面側の超微細繊維の編み間隔を狭くするようにしてもよい。
【符号の説明】
【００５８】
１  被覆体
１１ａ  第１口ゴム部
１１ｂ  第２口ゴム部
１２  滑り止め部
１２ａ  第１滑り止め部
１２ｂ  第２滑り止め部
１３  支持部
１３ａ  第１支持部
１３ｂ  第２支持部
１３ｃ  第３支持部
１４  本体部
【図１】
0003202141.tif 000003
【図２】
0003202141.tif 000004
【図３】
0003202141.tif 000005
【図４】
0003202141.tif 000006
【図５】
0003202141.tif 000007
【図６】
0003202141.tif 000008
【図７】
0003202141.tif 000009
【図８】
0003202141.tif 000010
【図９】
0003202141.tif 000011
【図１０】
0003202141.tif 000012